(57)【特許請求の範囲】
【請求項１】
甲部及び踵部の内面に補強布を備えた安全長靴において、
前記踵部の少なくとも一部において、前記補強布に切欠きを形成し、引張荷重を加えた際の前記踵部の少なくとも一部の変形度を、前記引張荷重を加えた際の前記甲部及び前記踵部の他の部分の変形度より大きくなるように設定したことを特徴とする、安全長靴。
【請求項２】
甲部及び踵部の内面に補強布を備えた安全長靴において、
前記補強布を、前記踵部の少なくとも一部に形成される第１の補強布と前記踵部の他の部分に形成される第２の補強布とから構成し、同一引張荷重に対する前記第１の補強布の伸び量を前記第２の補強布の伸び量より大きくし、引張荷重を加えた際の前記踵部の少なくとも一部の変形度を、前記引張荷重を加えた際の前記甲部及び前記他の部分の変形度より大きくなるように設定したことを特徴とする、安全長靴。
【発明の詳細な説明】
【０００１】
【発明の属する技術分野】
この発明は安全長靴に関し、特に甲部にアラミド繊維等の強度の高い繊維からなるフェルトや不織布等からなる補強布を有する安全長靴に関するものである。
【０００２】
【従来の技術】
図４は例えば消防長靴として用いられる従来の編み上げ式の安全長靴の外観形状を示した斜視図であり、図５は図４で示した安全長靴の踵部を示した図であり、図６は図５のＶＩ−ＶＩラインの断面構造図である。
【０００３】
これらの図を参照して、安全長靴１１は使用する人の足を保護する足部１３と脛を保護する胴部１５とから構成されている。
【０００４】
その断面構造は図６に示されているように、足部１３に対しては裏底１７の上面に中芯６８及び当中底６９が形成され、更にその上に踏抜防止板７０を介して中底７１が形成されている。中底７１の上面には靴の内面となる裏布６６が全面に布設されている。
【０００５】
一方、胴部１５側に対しては裏底１７にその一部が接するように形成された縁巻ゴム１８と、縁巻ゴム１８の内面側に胴ゴム６１及び下胴ゴム６２が形成され、更にその内面に突き刺し防止用の２枚のケプラーフェルト６４ａ，ケプラーフェルト６４ｂよりなる補強布２３が形成されている。尚、このケプラーフェルトはパラ系芳香族アラミド繊維等の強度の高い繊維から構成されている。そして、補強布２３の内面側にはカブトゴム６５が形成され、更にその内面は靴の内部に面する裏布６６が底部側から全面に敷設されている。尚、補強布２３は安全長靴１１の甲部２１及び踵部２２の全面に形成されており、使用者の甲や踵を保護している。
【０００６】
安全長靴１１の足部１３及び胴部１５は以上のように断面構成されており、使用者の足の作業時における安全を確保している。
【０００７】
【発明が解決しようとする課題】
上記のような従来の安全長靴では、補強布は突き刺し防止用に必要であるが、その目的上、引張強度が強く且つ引張加重に対する変形度は小さい。その結果、全面に補強布が布設されている甲部及び踵部の変形量が小さいため、履いたり脱いだりするために多大な力が必要となり、迅速な使用が困難であった。特にこの安全長靴を消防用に用いる場合等にあっては、迅速に履けないことが大きな問題となる。
【０００８】
この発明は上記のような課題を解決するためになされたもので、突き刺し防止機能を保持しつつ、装着及び脱着が容易な安全長靴を提供することを目的とする。
【０００９】
【課題を解決するための手段】
請求項１記載の発明は、甲部及び踵部の内面に補強布を備えた安全長靴において、踵部の少なくとも一部において補強布に切欠きを形成し、引張荷重を加えた際の踵部の少なくとも一部の変形度を、引張荷重を加えた際の甲部及び踵部の他の部分の変形度より大きくなるように設定したことを特徴とするものである。
【００１０】
このように構成すると、使用時に他の部分より切欠き部に対応する踵部が変形しやすくなる。
【００１１】
請求項２記載の発明は、甲部及び踵部の内面に補強布を備えた安全長靴において、補強布を、踵部の少なくとも一部に形成される第１の補強布と踵部の他の部分に形成される第２の補強布とから構成し、同一引張荷重に対する第１の補強布の伸び量を第２の補強布の伸び量より大きくし、引張荷重を加えた際の踵部の少なくとも一部の変形度を、引張荷重を加えた際の甲部及び他の部分の変形度より大きくなるように設定したことを特徴とするものである。
【００１２】
このように構成すると、使用時に他の部分より第１の補強布が布設された踵部が変形しやすくなる。
【００１５】
【発明の効果】
以上説明したように、請求項１記載の発明は、切欠き部に対応する踵部が他の部分より変形しやすくなるので、切欠き部を設けるだけで長靴の履く動作や脱ぐ動作が容易となり、使用勝手が向上する。
【００１６】
請求項２記載の発明は、第１の補強布が布設された踵部が他の部分より変形しやすくなるので、所定の伸び量の第１の補強布を設定することで踵部の変形度合を所望の程度に容易に調整することができる。
【００１８】
【発明の実施の形態】
図１はこの発明の第１の実施の形態による安全長靴の外観形状を示した斜視図であり、図２は図１で示した安全長靴の踵部を示した図である。
【００１９】
これらの図を参照して、安全長靴１１は使用者の足を保護する足部１３と脛を保護する胴部１５とから構成されている。足部１３は靴底となる裏底１７と、裏底１７の上方外方端に接続する縁巻ゴム１８と、縁巻ゴム１８に接続する甲部２１及び踵部２２とから構成されている。又、足部１３の前方上部にはつま先補強ゴム１９が形成され、その内部にはつま先を保護するための鋼製の先芯２０が形成されている。尚、甲部２１及び踵部２２に対しては補強布２３が形成されているが、これについては後述する。
【００２０】
一方、胴部１５の側面部２５には水除２７が形成されており、これの開閉を行なうファスナ２６が上下に取り付けられている。これによって安全長靴１１の着脱を容易としている。尚、胴部１５の上端全周には視認性を強化するための反射テープ３３が全周に形成されている。又、足部１３の甲部２１の上面から胴部１５の前面部２９にかけて水除３１が形成され、これの開度を調整する紐３０によって編み上げ式の構造となっている。
【００２１】
最初の使用の際には、ファスナ２６を上端まで上げた状態で紐３０を緩めて足を安全長靴１１内部に入れる。そして紐３０を閉めこんでいきその上端で結束して、水除３１の開度を足に合わせて調整する。次にファスナ２６を最下端まで移動させて水除２７によって側面部２５を広げ、足を安全長靴１１から抜き出す。
【００２２】
これによって使用前の胴部１５の調整は完了する。次にこの安全長靴１１を実際に使用する際には、紐３０の調整はせずにファスナ２６を引き下げた状態で胴部１５の上方部を広げて足を装着する。そしてファスナ２６を引上げて胴部１５の上方部を締めることによって、安全長靴１１の装着は完了する。
【００２３】
図２を参照して、そのＶＩ−ＶＩラインで示す断面構造は従来例の図５の断面構造として示した図６の構造と同一であるため、ここでの説明は繰り返さない。この実施の形態においては、踵部２２における補強布２３に対して切欠き３５を形成している。すなわち、切欠き３５は補強布２３の上端部と裏底１７底部との距離Ｈ（約１３ｃｍ）に対してＡの寸法（約９ｃｍ）を有し、踵部２２の幅Ｗ（約１０ｃｍ）に対してＢの寸法（約６ｃｍ）を有したものとしている。
【００２４】
これによって踵部２２において切欠き３５が形成されている部分とその周囲の補強布２３が形成されている部分とに対して、同一荷重に対する変形量に差が生じる。すなわち、切欠き３５の部分の踵部２２は周囲に比べて容易に変形するため、使用時の安全長靴１１への足の出し入れが容易となる。
【００２５】
尚、この実施の形態においては、切欠き３５を図に示すような形状及び上記の寸法としているが、形状、寸法はこれに限らず、踵部２２の少なくとも一部においてその変形度が、全面に補強布２３を形成しているものに比べて大きくなるような形状、寸法であればよい。
【００２６】
図３はこの発明の第２の実施の形態による安全長靴の踵部の形状を示した概略図である。
【００２７】
図を参照して、踵部２２を囲う補強布２３は、斜線で示す第１の補強布３７とその両側に接続する第２の補強布３８とで構成されている。そして第１の補強布３７の同一引張荷重に対する変形度合は第２の補強布３８のそれより大きくなるようにこれらの補強布が設定されている。
【００２８】
例えば、第２の補強布３８の構造は図６の断面構造で示したような２枚のケプラーフェルト６４ａ，ケプラーフェルト６４ｂより構成し、第１の補強布３７はこのいずれか１枚のケプラーフェルトを斜線の部分だけ取除いたような構造としても良い。これによって第１の補強布３７の変形度合は第２の補強布３８のそれより大きくなり、安全長靴１１の使用時における足の出し入れが容易となる。
【００２９】
この第２の実施の形態による安全長靴にあっては、踵部２２においてある程度の補強はしつつ、装着容易性も向上させるという双方の効果を奏するものである。
【００３０】
尚、上記の各実施の形態では、補強布としてケプラーフェルトを用いているが、これに代えて引裂強度の高い不織布を用いても良い。
【００３１】
又、上記の第２の実施の形態では、第１の補強布を１枚のフェルトとし、第２の補強布を２枚のフェルトとしてそれらの変形度合いを異ならせる構成を例示しているが、強度（変形度）の異なる補強布を同一枚数用いて、踵部の変形を容易とするように構成しても良い。
【図面の簡単な説明】
【図１】この発明の第１の実施の形態よる安全長靴の外観形状を示した斜視図である。
【図２】図１で示した安全長靴の踵部の概略形状を示した図である。
【図３】この発明の第２の実施の形態による安全長靴の踵部の概略形状を示した図である。
【図４】従来の安全長靴の外観形状を示した斜視図である。
【図５】図４で示した安全長靴の踵部の概略形状を示した図である。
【図６】図５のＶＩ−ＶＩラインの断面構造図である。
【符号の説明】
１１…安全長靴
２１…甲部
２２…踵部
２３…補強布
３５…切欠き
３７…第１の補強布
３８…第２の補強布
尚、各図中同一符号は同一又は相当部分を示す。
【図１】
0004808328.tif 000002
【図２】
0004808328.tif 000003
【図３】
0004808328.tif 000004
【図４】
0004808328.tif 000005
【図５】
0004808328.tif 000006
【図６】
0004808328.tif 000007